(57)【要約】【課題】端子と蛍光灯のリード線とのはんだ付け、端子と電源部材とのはんだ付けが不要であり、蛍光灯を着脱する際の蛍光灯の破損を防止でき、電源部材を取り外すことなく蛍光灯のみを取り外すことができ、感電の危惧を払拭できるバックライト用コネクタを提供する。【解決手段】ハウジング２４に設けられ、取付板１１に形成された取付孔１１ａに挿入される挿入部２１ａと、ハウジング２４に設けられ、挿入部２１ａを取付孔１１ａに挿入したとき取付板１１の表面に着座するフランジ２１ｆと、ハウジング２４に開閉可能に軸支され、蛍光灯３０を保持するアクチュエータ２３と、ハウジング２４に、フランジ２１ｆを挟んでアクチュエータ２３とは反対側に設けられ、電源部材６０が挿抜される挿抜口２１ｍと、ハウジング２４内に収容され、蛍光灯３０のリード線３０ｒと接触する芯線接触部４１と電源部材６０に弾接する電源接触部４５とを有する端子４０とを備えたもの。【選択図】図４
2009146862.tif 000002
【特許請求の範囲】
【請求項１】
取付板に装着され、バックライトとしての蛍光灯及び電源部材が取り付けられるバックライト用コネクタであって、
ハウジングと、
該ハウジングに設けられ、上記取付板に形成された取付孔に挿入される挿入部と、
上記ハウジングに設けられ、上記挿入部を上記取付孔に挿入したとき上記取付板の表面に着座するフランジと、
上記ハウジングに開閉可能に軸支され、その開時に上記蛍光灯が上記ハウジングにセットされることを許容し、閉時にセットされた蛍光灯を保持するアクチュエータと、
上記ハウジングに、上記フランジを挟んで上記アクチュエータとは反対側に設けられ、上記電源部材が挿抜される挿抜口と、
上記ハウジング内に収容され、上記アクチュエータによって保持される蛍光灯のリード線と接触する芯線接触部と、上記挿抜口に挿入される上記電源部材に弾接する電源接触部とを有する端子と
を備えたことを特徴とするバックライト用コネクタ。
【請求項２】
上記挿抜口が、上記ハウジングに、上記フランジに沿って細長く形成され、
上記ハウジングに、上記挿抜口の上記フランジ側の縁に位置させて、上記挿抜口に挿入される上記電源部材が仮置きされる載置棚を上記フランジと平行に設けた請求項１に記載のバックライト用コネクタ。
【請求項３】
上記ハウジングの内部に、上記載置棚に繋げて上記挿抜口の内方に延出された案内棚を設けた請求項２に記載のバックライト用コネクタ。
【発明の詳細な説明】
【技術分野】
【０００１】
本発明は、液晶ディスプレイに用いられるバックライト用コネクタに関する。
【背景技術】
【０００２】
例えば、液晶テレビのディスプレイの背面にあってそこを照射するバックライトとしての蛍光灯は、その直径が２．６乃至５．０ｍｍと言った極細のもので、多数本、ディスプレイに近接して平行に配設されている。そして、このバックライトに電力を供給するために蛍光灯から外部に引き出されているリード線は、従来、電源に連なる電源線、基板などに、直接、はんだ付けされていた。しかし、このようなリード線のはんだ付け工程は、極めて煩雑で、液晶ディスプレイの生産性、品質を阻害する。
【０００３】
そこで、蛍光灯のリード線のはんだ付け作業を省略した技術として、特許文献１に記載されたもの等が知られている。かかる技術は、蛍光灯の端部に蛍光灯のリード線を覆ってカバー部材を装着してなる蛍光灯・カバー部材組立体を用意しておき、他方、この蛍光灯・カバー部材組立体が装着されるランプ支持部材に凹設された収容部に、端子を取り付けておき、蛍光灯・カバー部材組立体の端部をランプ支持部材の収容部に挿入することで、蛍光灯のリード線を端子に接触させるものである。
【０００４】
こうして蛍光灯のリード線を端子に接触させた後、その端子に形成された接触バネ部と蛍光灯・カバー部材組立体との間に、保持板及びインバータ基板（電源部材）を圧入し、保持板によって蛍光灯・カバー部材組立体を保持し、電源部材によって蛍光灯に給電する。
【０００５】
この技術によれば、端子と蛍光灯のリード線とのはんだ付けが不要となると共に、端子と電源部材とのはんだ付けも不要となる。
【０００６】
【特許文献１】特開２００４−３３５２２７号公報
【発明の開示】
【発明が解決しようとする課題】
【０００７】
ところで、上記技術においては次のような課題が存在する。
【０００８】
蛍光灯・カバー部材組立体を収容部に挿入して、リード線を端子に接触させる作業は、収容部内の端子が蛍光灯・カバー部材組立体で隠された状態（作業者にとってブラインド状態）で行われるため、取付作業性が良くない。そのため、挿入部が引っ掛かる等して挿入抵抗が増し、その挿入抵抗力が蛍光灯・カバー部材組立体の蛍光灯に曲げ力として作用する可能性がある。蛍光灯は上述のように直径が２．６乃至５．０ｍｍという極細のものなので、上記曲げ力は蛍光灯を破損させる原因となる。特に、蛍光灯が大型液晶テレビ用に長尺となった場合、破損の可能性が高まる。
【０００９】
検査工程で蛍光灯の不点灯が発見され、その交換が必要となった場合、保持板及び電源部材を取り外さなければ、蛍光灯・カバー部材組立体をランプ支持部材の収容部から引き抜いて取り外すことができず、交換作業性が良くない。また、蛍光灯・カバー部材組立体をランプ支持部材の収容部から引き抜く際、その引抜抵抗力が蛍光灯に曲げ力として作用し、蛍光灯が破損する可能性がある。
【００１０】
端子の接触バネ部がランプ支持部材から露出していて、そこには蛍光灯を発光させる高圧電流が流れるため、作業者は感電に注意する必要がある。
【００１１】
以上の事情を考慮して創案された本発明の目的は、端子と蛍光灯のリード線とのはんだ付け、端子と電源部材とのはんだ付けが共に不要であるバックライト用コネクタにおいて、蛍光灯を着脱する際の蛍光灯の破損を防止でき、電源部材を取り外すことなく蛍光灯のみを取り外すことができ、感電の危惧を払拭できるバックライト用コネクタを提供することにある。
【課題を解決するための手段】
【００１２】
上記目的を達成するために創案された本発明は、取付板に装着され、バックライトとしての蛍光灯及び電源部材が取り付けられるバックライト用コネクタであって、ハウジングと、該ハウジングに設けられ、上記取付板に形成された取付孔に挿入される挿入部と、上記ハウジングに設けられ、上記挿入部を上記取付孔に挿入したとき上記取付板の表面に着座するフランジと、上記ハウジングに開閉可能に軸支され、その開時に上記蛍光灯が上記ハウジングにセットされることを許容し、閉時にセットされた蛍光灯を保持するアクチュエータと、上記ハウジングに、上記フランジを挟んで上記アクチュエータとは反対側に設けられ、上記電源部材が挿抜される挿抜口と、上記ハウジング内に収容され、上記アクチュエータによって保持される蛍光灯のリード線と接触する芯線接触部と、上記挿抜口に挿入される上記電源部材に弾接する電源接触部とを有する端子とを備えたものである。
【００１３】
上記挿抜口が、上記ハウジングに、上記フランジに沿って細長く形成され、上記ハウジングに、上記挿抜口の上記フランジ側の縁に位置させて、上記挿抜口に挿入される上記電源部材が仮置きされる載置棚を上記フランジと平行に設けてもよい。
【００１４】
上記ハウジングの内部に、上記載置棚に繋げて上記挿抜口の内方に延出された案内棚を設けてもよい。
【発明の効果】
【００１５】
本発明によれば、端子と蛍光灯のリード線とのはんだ付け、端子と電源部材とのはんだ付けが共に不要であるバックライト用コネクタにおいて、蛍光灯を着脱する際の蛍光灯の破損を防止でき、電源部材を取り外すことなく蛍光灯のみを取り外すことができ、感電の危惧を払拭できる。
【発明を実施するための最良の形態】
【００１６】
以下、本発明の好適実施形態を添付図面に基づいて説明する。
【００１７】
図１は液晶ディスプレイ（図示せず）の背面に配設される反射板１０の辺りを液晶ディスプレイ側から見た模型的斜視図、図２は反射板１０の辺りを反液晶ディスプレイ側から見た模型的斜視図である。
【００１８】
反射板１０が取り付けられた板状のフレーム（取付板）１１には、本実施形態に係るバックライト用コネクタ（以下コネクタ）２０が、対を成すようにして複数並設されており、各対のコネクタ２０の間には、バックライトとしての蛍光灯３０が装着されている。本実施形態においては、コネクタ２０は９対あってそこに９本の蛍光灯３０が装着されている例を示したが、蛍光灯３０の数は液晶ディスプレイの大きさなどに応じて必要数量が異なる。また、本実施形態では、蛍光灯３０は、棒状（Ｉ字状）のものが用いられているが、Ｕ字状のものであっても良い。
【００１９】
本実施形態では、コネクタ２０が取付板１１に取り付けられているが、これに限らず、コネクタ２０を液晶ディスプレイの板状のシャシに取り付けても、或いは直接反射板１０に取り付けても良い。これらの場合、板状のシャシ、反射板１０が、コネクタ２０の取付板となる。
【００２０】
これらコネクタ２０には、電源部材（電源ボード）６０の凸状部６０ａが嵌合される。電源部材６０は、長手方向に間隔を隔てて凸状部６０ａを有し、各凸状部６０ａには、コネクタ２０に給電するための配線パターンがプリントされている。
【００２１】
図中、Ｘは蛍光灯３０の長手方向と平行な方向、Ｙは取付板１１と平行な面内にて蛍光灯３０の長手方向と直交する方向である。
【００２２】
図３は図１の部分拡大図、図４は図３のIV−IV線断面図、図５は図４のV−V線断面図である。
【００２３】
コネクタ２０は、取付板１１に装着されるハウジング２４を有する。ハウジング２４には、蛍光灯３０を着脱するためのアクチュエータ２３と、電源部材６０の凸状部６０ａが挿抜される挿抜口２１ｍとが設けられており、ハウジング２４の内部には、電源部材６０を蛍光灯３０に導通させる端子４０が収容されている。ハウジング２４は、取付板１１に装着される固定部２１と、固定部２１にＸ方向に移動可能に装着された浮動部２２とから主に構成されている。
【００２４】
固定部２１には、取付板１１に形成された矩形の取付孔１１ａ（図２参照）に挿入される断面矩形の挿入部２１ａと、挿入部２１ａを取付孔１１ａに挿入したとき取付板１１の表面に着座するフランジ２１ｆとが設けられている。他方、浮動部２２には、蛍光灯３０を着脱するためのアクチュエータ２３が、開閉可能に軸支されている。アクチュエータ２３は、その開時に蛍光灯３０がハウジング２４にセットされることを許容し、閉時にセットされた蛍光灯３０を保持する。
【００２５】
また、固定部２１には、フランジ２１ｆを挟んでアクチュエータ２３とは反対側に、電源部材６０の凸状部６０ａが挿抜される挿抜口２１ｍが設けられている。挿抜口２１ｍがフランジ２１ｆを挟んでアクチュエータ２３の反対側に配置されているので、ハウジング２４を取付板１１に装着した状態で、挿抜口２１ｍに電源部材６０の凸状部６０ａを挿入し、アクチュエータ２３で蛍光灯３０を保持すると、蛍光灯３０は取付板１１を挟んで電源部材６０の反対側に配置されることになる。
【００２６】
固定部２１及び浮動部２２からなるハウジング２４の内部には、電源部材６０を蛍光灯３０に導通させるための端子４０が収容されている。端子４０は、アクチュエータ２３によって保持された蛍光灯３０のリード線３０ｒと接触する芯線接触部４１と、挿抜口２１ｍに挿入された電源部材６０の凸状部６０ａに弾接する電源接触部４５とを有する。
【００２７】
図６はコネクタ２０の各構成部品を示す分解斜視図、図７は図６に示す固定部２１を反対側から見た斜視図である。
【００２８】
コネクタ２０は、挿入部２１ａが形成された固定部２１と、固定部２１にＸ方向に移動可能に装着された浮動部２２と、固定部２１及び浮動部２２に装着された端子４０と、浮動部２２に開閉可能に設けられていて蛍光灯３０を浮動部２２に保持セットするアクチュエータ２３と、固定部２１の背面２１ｈに取り付けられた蓋部５０とから主に構成されている。
【００２９】
固定部２１は、箱状のモールド品の天井２１ｔと背面２１ｈとを欠落させた外形となっており、正面２１ｓと、左右の側面２１ｗと、背面２１ｈに取り付けられた蓋部５０とから、略直方体状に形成された挿入部２１ａを有する。挿入部２１ａは、ＸＹ平面と平行な面で切断した断面の外形が矩形となっている。正面２１ｓの下部には、電源部材６０の凸状部６０ａ（図２参照）が挿抜される挿抜口２１ｍが形成され、天井２１ｔの周囲には、フランジ２１ｆが形成され、側面２１ｗの中央には、バネ部材２６として舌片バネ２６ｘが形成されている。
【００３０】
図４〜図６に示すように、浮動部２２は、アクチュエータ２３の軸２３ｊを支承する軸受部２２ｊ、蛍光灯３０のリード線３０ｒが挿通されるリード線挿通溝（以下挿通溝）２２ｍ、挿通溝２２ｍに端子４０の芯線接触部４１の挟持部４１ｋを臨ませる端子溝２２ｎ、アクチュエータ２３が閉じられたときアクチュエータ２３に設けられた端子押圧部２３ｑが進入し得る押圧部溝２２ｐ、アクチュエータ２３が閉じられたときアクチュエータ２３に設けられた被係合部２３ｈと係合する係合部としてのロック爪２２ｔなどを備えている。かかる浮動部２２は、固定部２１の天井２１ｔを塞ぐようにそこに位置付けされる。
【００３１】
アクチュエータ２３は、天壁２３ｔと、そこに直角に連なる一対の横壁２３ｙとを備え、横壁２３ｙに設けられた軸２３ｊが浮動部２２の軸受部２２ｊに回動可能に支承されている。天壁２３ｔの内面には、アクチュエータ２３が閉じられたとき、浮動部２２の押圧部溝２２ｐに進入されて端子４０の被押圧部４１ｈを押圧する端子押圧部２３ｑが板状に垂下して形成されていると共に、浮動部２２の挿通溝２２ｍに進入されて蛍光灯３０のリード線３０ｒを押さえて適正位置まで押し込むリード線押圧部２３ｒが板状に垂下して形成されている。
【００３２】
図４〜図６に示すように、固定部２１と浮動部２２とは、スライド機構２７によってＸ方向に相対移動可能且つＹ方向に相対移動不能に接続されている。
【００３３】
スライド機構２７は、固定部２１に設けられた前方滑動面２１ｋと、浮動部２２に設けられ前方滑動面２１ｋの上を蛍光灯３０の長手方向Ｘに沿って滑動可能な前方滑動部２２ｋと、固定部２１に設けられた後方滑動面２１ｋｋと、浮動部２２に設けられ後方滑動面２１ｋｋの上を蛍光灯３０の長手方向Ｘに沿って滑動可能な後方滑動部２２ｋｋとを有する。
【００３４】
また、スライド機構２７は、固定部２１に蛍光灯３０の長手方向Ｘに沿って形成された溝状のレール２１ｒと、このレール２１ｒに係合する浮動部２２に設けたボス２２ｂとを有する。レール２１ｒ及びボス２２ｂにより、浮動部２２が固定部２１に対して蛍光灯３０の長手方向Ｘに案内され、且つ浮動部２２が固定部２１から上方に離脱することが防止される。
【００３５】
固定部２１及び浮動部２２からなるハウジング２４の内部には、端子４０が収容されている。端子４０は、一端が固定部２１に固定され他端が浮動部２２に固定され、一端にて電源部材６０の凸状部６０ａに接触し、他端にて蛍光灯３０のリード線３０ｒに接触するものである。
【００３６】
詳しくは、端子４０は、蛍光灯３０のリード線３０ｒに接する芯線接触部４１、その下方に位置して浮動部２２に装着される長方形板状の第一基部４２、そこから下方に延びる可撓部４３、更にその下方に位置して固定部２１に装着される第二基部４４、そこから水平方向に延びて電源部材６０の凸状部６０ａに接し得る電源接触部４５などを備えている。浮動部２２がスライド機構２７によって固定部２１に対して蛍光灯３０の長手方向Ｘに移動すると、その移動は端子４０の可撓部４３が撓むことで許容される。
【００３７】
芯線接触部４１及び第一基部４２は、浮動部２２にスリット状に形成された端子溝２２ｎに下方から挿通され、第一基部４２が端子溝２２ｎに圧入されることで、即ち第１基部４２の側端に設けられた矢尻４２ｙが端子溝２２ｎの側面に食い込むことで、浮動部２２に装着されている。芯線接触部４１は、第一基部４２に連なる一対のアーム４１ａ、その先端をＵ字状に形成して対向された挟持部４１ｋ、その反対側に三角状に突き出して形成された被押圧部４１ｈを有する。
【００３８】
一対の挟持部４１ｋは、浮動部２２の挿通溝２２ｍ内に蛍光灯３０のリード線３０ｒが略無抵抗で挿通可能となるように、挿通溝２２ｍの両側壁内に隠れるか又はそこから僅かに突出されている。一対の被押圧部４１ｈは、浮動部２２の押圧部溝２２ｐ内に突出されており、アクチュエータ２３が閉じられたとき押圧部溝２２ｐ内に進入する端子押圧部２３ｑに押圧されるようになっている。アクチュエータ２３の端子押圧部２３ｑが端子４０の被押圧部４１ｈを押圧すると、左右のアーム４１ａが幅方向内側に弾性変形し、左右の挟持部４１ｋが蛍光灯３０のリード線３０ｒを弾性的に挟持する。これにより、蛍光灯３０と端子４０とが電気的に導通される。
【００３９】
端子４０の第二基部４４は、長方形板状の板体４４ａと、板体４４ａの四隅から水平方向に延出された脚状の圧入部４６とを有し、圧入部４６が固定部２１の内側に形成された圧入孔２１ｘ（図７参照）に圧入され、圧入部４６の先端に設けた矢尻４６ｙが圧入孔２１ｘに食い込むことで固定部２１に装着され、挿抜口２１ｍの奥に位置付けられている。端子４０の電源接触部４５は、断面がコの字状をなす第二基部４４の底部を切り起こして山形に形成してなり、そこに弾性が付与されている。
【００４０】
端子４０の可撓部４３は、第１基部４２と第２基部４４との間に設けられ、それらが蛍光灯３０の長手方向Ｘに相対的に移動することを許容するものである。可撓部４３は、一端が第１基部４２に他端が第２基部４４に接続され、渦巻き状に形成された細い板体からなり、第１基部４２と第２基部４４とが相対移動された際に弾性的な復元力を発揮する。
【００４１】
上記コネクタ２０の取付板１１への取り付けについて述べる。
【００４２】
図８はコネクタ２０及びそれが取り付けられる取付孔１１ａが形成された取付板１１を示す斜視図である。
【００４３】
コネクタ２０は、その固定部２１に形成された断面矩形の挿入部２１ａが、取付板１１に形成された矩形の取付孔１１ａに進入され、取付板１１に取り付けられる。
【００４４】
ここで、挿入部２１ａの左右の側面２１ｗの間隔ＷＡは、取付孔１１ａの幅ＷＢより小さく、挿入部２１ａの正面２１ｓと背面２１ｈとの間隔ＷＣは、取付孔１１ａの長さＷＤより小さく形成されている。また、固定部２１の左右のフランジ２１ｆの端部同士の寸法ＷＥは、取付孔１１ａの幅ＷＢより大きく、固定部２１の前後のフランジ２１ｆの端部同士の寸法ＷＦは、取付孔１１ａの長さＷＤより大きく形成されている。この寸法関係により、挿入部２１ａを取付孔１１ａにスムーズに進入させることができ、奥まで進入させると、フランジ２１ｆが取付板１１の表面に着座する。
【００４５】
挿入部２１ａの左右の側面２１ｗには、平坦部８０が形成されており、左右の平坦部８０の間隔は、幅ＷＡとなっている。平坦部８０には、フランジ２１ｆに沿って高原部８１が形成されており、左右の高原部８１の間隔（Ｙ方向の幅）は、挿入部２１ａの幅ＷＡより大きく、取付孔１１ａの幅ＷＢより小さい。また、高原部８１と平坦部８０とは、傾斜部８２により滑らかに接続されている。
【００４６】
よって、挿入部２１ａを取付孔１１ａに奥まで進入させる際、進入の初期から中期にかけては、取付孔１１ａの幅ＷＢと挿入部２１ａの幅ＷＡとの差、取付孔１１ａの長さＷＤと挿入部２１ａの長さＷＣとの差が比較的大きいので、スムーズに挿入でき、また、進入が完了する段階では、高原部８１が取付孔１１ａの内面に対向するため、Ｙ方向の差（ガタ）が小さくなる。この進入の中段から終段において、挿入部２１ａは、左右の側壁２１ｗに設けた舌片バネ２６ｘによって、取付孔１１ａ内にて、高原部８１と取付孔１１ａの内面とのガタの範囲で、幅ＷＢ方向（Ｙ方向）の中央にセンタリングされる。
【００４７】
舌片バネ２６ｘは、平坦部８０に接続された基端２６ａと、基端２６ａからフランジ２１ｆの近傍まで延出された延出片２６ｂと、延出片２６ｂの先端に設けられ、取付孔１１ａの内面と取付板１１の表面（図８の下側の表面：裏面）との角部１１ｂが係合する段差２６ｃとを有する。延出片２６ｂは、平坦部８０に設けられたスリット８３により、基端２６ａを除き平坦部８０から切り離されている。この舌片バネ２６ｘにより、コネクタ２０は、取付板１１の取付孔１１ａに適度な挿入抵抗を受けながら、ワンアクションで装着される。
【００４８】
こうして取付板１１に装着されたコネクタ２０には、図２〜図４に示すように、電源部材６０が取り付けられる。
【００４９】
電源部材６０には、長手方向に間隔を隔てて複数の凸状部６０ａが形成されており、これら凸状部６０ａがコネクタ２０の挿抜口２１ｍに挿入される。挿抜口２１ｍに挿入された凸状部６０ａは、挿抜口２１ｍの奥に位置付けられた電源接触部４５に上下から挟持されるように弾接し、端子４０が電源部材６０に導通される（Ｎｏｎ−ＺＩＦ的接続）。この際、はんだ付け作業は当然必要ない。電源部材６０は、ＦＦＣ、ＦＰＣ、ＧＮＤ板等であってもよい。
【００５０】
挿抜口２１ｍの周辺の形状について、図８を用いて述べる。
【００５１】
コネクタ２０の正面２１ｓは、フランジ２１ｆの下面に垂直に連なって下方に延出された矩形状の平面部２８ａと、平面部２８ａの下端から背面２１ｈの方向に階段状に後退した位置で平面部２８ａと平行に形成された矩形状の段差部２８ｂとからなる。段差部２８ｂには、電源部材６０の凸状部６０ａが挿抜される挿抜口２１ｍが、フランジ２１ｆに沿って細長く形成されている。かかる挿抜口２１ｍのフランジ２１ｆ側の縁には、凸状部６０ａを挿抜口２１ｍに挿入する際、凸状部６０ａが仮置きされる載置棚２９が、フランジ２１ｆと平行に形成されている。
【００５２】
挿抜口２１ｍは、その左右が段差部２８ｂに形成された左右一対の縦壁２８ｃにより区画され、下部が段差部２８ｂに形成された横壁２８ｄにより区画され、上部が載置棚２９により区画されている。載置棚２９は、垂直な壁である平面部２８ａの下端と同じく垂直な壁である段差部２８ｂの上端との間を水平に繋ぎ、フランジ２１ｆの下面と平行に形成されている。また、縦壁２８ｃ及び横壁２８ｄには、挿抜口２１ｍの開口縁部となる部分に、面取り部２８ｅが形成されている。面取り部２８ｅは、電源部材６０の凸状部６０ａが挿抜口２１ｍに挿入される際の誘い込みの役割を果たす。
【００５３】
固定部２１の内部には、載置棚２９に繋げて挿抜口２１ｍの内方に延出された案内棚２９ａが形成されている。案内棚２９ａは、載置棚２９に沿って挿抜口２１ｍ内に挿入された凸状部６０ａを、挿抜口２１ｍの奥に配設された端子４０の電源接触部４５（図４参照）に向けてガイドする。案内棚２９ａによりガイドされた凸状部６０ａは、端子４０の電源接触部４５に、上下から挟持されて弾接される（Ｎｏｎ−ＺＩＦ的接続）。これにより、電源部材６０と端子４０とが、はんだ付け作業なしで導通される。
【００５４】
電源部材６０のコネクタ２０への具体的な接続手順を述べる。
【００５５】
先ず、図２に示すように、コネクタ２０が装着された取付板１１を、挿抜口２１ｍが上方に位置するようにする。次に、電源部材６０の長手方向一端の凸状部６０ａを、取付板１１の幅方向（Ｙ方向）一端のコネクタ２０の挿抜口２１ｍの前方に前庭のように配置された載置棚２９（図８参照）に仮置きするか、この仮置き後に挿抜口２１ｍに極く浅く押し込んで仮挿入状態とする。
【００５６】
そして、そこを支点として電源部材６０を回動させ、電源部材６０の長手方向他端の凸状部６０ａを、取付板１１の幅方向（Ｙ方向）他端のコネクタ２０の挿抜口２１ｍの載置台２９に載置し、電源部材６０をコネクタ２０の並列方向と平行状態とする。これにより、電源部材６０の各凸状部６０ａは、各コネクタ２０の載置台２９に夫々載置された状態となる。
【００５７】
その後、電源部材６０を上記平行状態を保ちつつ前進させ、各凸状部６０ａを各載置台２９上にて滑らせ、同時に各コネクタ２０の挿抜口２１ｍに挿入する。これにより、電源部材６０に捩れを生じさせることなく、各凸状部６０ａを各コネクタ２０内の端子４０の電源接触部４５に、同時に挟み込ませて弾接させることが可能となる（Ｎｏｎ−ＺＩＦ的接続）。
【００５８】
この際、各コネクタ２０の挿抜口２１ｍの周縁には面取り部２８ｅが形成されているので、各凸状部６０ａが各挿抜口２１ｍの中心から多少ずれていても、各凸状部６０ａは面取り部２８ｅにガイドされて的確に挿抜口２１ｍに導かれる。また、各コネクタ２０の内部には、載置台２９に繋げて案内棚２９ａ（図８、図４参照）が設けられているので、載置台２９に沿って挿抜口２１ｍ内に導かれた凸状部６０ａは、案内棚２９ａの上を滑り、端子４０の電源接触部４５に的確に弾接する。
【００５９】
上記作業は、図２に示すように、コネクタ２０が装着された取付板１１を図１の状態（基準状態）に対して反転させた状態で行うので、凸状部６０ａと挿抜口２１ｍとを作業者が視認した状態で作業でき、ブラインド作業とならない。よって、凸状部６０ａを迅速且つ確実に挿抜口２１ｍに挿入できる。
【００６０】
なお、電源部材６０をコネクタ２０から取り外す取外作業は、上述した取付作業の逆の手順となる。
【００６１】
電源部材６０が取り付けられたコネクタ２０には、図３〜図５に示すように、蛍光灯３０が取り付けられる。
【００６２】
蛍光灯３０をコネクタ２０に取り付けるには、先ず、図２の反転状態の取付板１１を図１に示すように元の基準状態に戻し、図６に示すアクチュエータ２３を軸２３ｊ廻りに上方に回動させて開状態とする。これにより、浮動部２２の芯線挿通溝２２ｍの上方が開放されるので、そこに蛍光灯３０のリード線３０ｒを上方から挿通させ、リード線３０ｒを端子４０の一対の挟持部４１ｋの間に位置付ける。このとき、一対の挟持部４１ｋは離間しているので、その間にリード線３０ｒを位置付ける作業は、無抵抗で極めて簡単であり、蛍光灯３０に何等のストレスも与えない。
【００６３】
その後、アクチュエータ２３を軸２３ｊ廻りに下方に回動させて略水平になるまで倒し、閉状態とする。これにより、アクチュエータ２３のリード線押圧部２３ｒがリード線３０ｒを挿通溝２２ｍの適正位置まで押し込み、アクチュエータ２３の端子押圧部２３ｑが端子押圧溝２２ｐに進入して端子４０の被押圧部４１ｈを押圧する。この結果、端子４０の一対の挟持部４１ｋの間隔が狭まり、挟持部４１ｋによってリード線３０ｒが挟持され、蛍光灯３０と端子４０とが導通状態に接続される（所謂ＺＩＦ的接続）。これと同時に、アクチュエータ２３の被係合部２３ｈがロック爪２２ｔに係合し、アクチュエータ２３は閉状態に保たれる。
【００６４】
このような蛍光灯３０のコネクタ２０への取り付けは、図１に示すように、取付板１１の上方の空間、即ち取付板１１を挟んで電源部材６０とは反対側の空間で行われる。この空間においては、電源部材６０が取付板１１で覆われた状態となっているので、コネクタ２０に取り付けられる蛍光灯３０が、電源部材６０の縁部６０ｂに接触して損傷する等の事態を回避できる。また、蛍光灯３０をコネクタ２０に取り付ける作業員の手指や機械の治具等が電源部材６０に接触して電源部材６０の凸状部６０ａが挿抜口２１ｍから多少引き抜かれた状態になる等して電源部材６０と端子４０との導通が不十分となる事態を回避できる。
【００６５】
蛍光灯３０をコネクタ２０から取り外すには、アクチュエータ３０を開き、蛍光灯３０を持ち上げればよい。この作業も、取付板１１の上方、即ち電源部材６０が取付板１１で覆われた空間で行われる。よって、取り外される蛍光灯３０が電源部材６０の縁部６０ｂに接触して損傷する等の事態を回避でき、蛍光灯３０を取り外す作業員の手指等が電源部材６０に接触して電源部材６０と端子４０との導通が不十分となる事態を回避できる。また、電源部材６０を取り外すことなく蛍光灯３０のみをコネクタ２０から取り外すことができることは勿論である。
【００６６】
以上述べたように本実施形態に係るコネクタ２０によれば、次のような効果を発揮できる。
【００６７】
コネクタ２０を取付板１１に装着するには、コネクタ２０の挿入部２１ａを取付板１１の取付孔１１ａに挿入し、コネクタ２０のフランジ部２１ｆを取付板１１の表面に着座させる。これにより、挿入部２１ａに設けた舌片バネ２６ｘの段差部２６ｃとフランジ部２１ｆとの間に、取付板１１が挟持され、装着が完了し、極めて簡単に装着できる。
【００６８】
コネクタ２０に電源部材６０を取り付けるには、図２に示すように、コネクタ２０が装着された取付板１１を反転させた状態とし、電源部材６０の凸状部６０ａをコネクタ２０の挿抜口２１ｍに押し込む。すると、凸状部６０ａが端子４０の電源接触部４５に弾接し、両者がはんだ付け無しで電気的に接続される（Ｎｏｎ−ＺＩＦ的接続）。
【００６９】
この作業は、取付板１１を反転させた状態で行うので、作業者は凸状部６０ａと挿抜口２１ｍとを視認でき、ブラインド作業とならない。また、電源部材６０の凸状部６０ａが、載置棚２９に載せられその上を滑らせて挿抜口２１ｍに押し込まれることになるので、押し込み作業をスムーズに行える。また、載置棚２９の奥には案内棚２９ａが連続して設けられているので、凸状部６０ａを、挿抜口２１ｍの奥に配設された端子４０の電源接触部４５に的確に導くことができる。
【００７０】
コネクタ２０に蛍光灯３０を取り付けるには、図２の反転状態の取付板１１を図１の基準状態に戻し、アクチュエータ２３を開いた状態で、蛍光灯３０のリード線３０ｒを芯線挿通溝２２ｍに挿入させ、アクチュエータ２３を閉位置まで倒す。これにより、リード線３０ｒと端子４０とが、はんだ付け無しで電気的に接続される（ＺＩＦ的接続）。
【００７１】
なお、コネクタ２０に取り付けられた蛍光灯３０は、自身の発光熱で長手方向Ｘに熱伸縮するものの、この熱伸縮は、浮動部２２が固定部２１に対してＸ方向にスライドすることで解放される。よって。蛍光灯３０には、長手方向Ｘの熱伸縮に因る熱応力が生じることはない。
【００７２】
また、電源部材６０を取り外すことなく蛍光灯３０のみをコネクタ２０に対して着脱でき、逆に、蛍光灯３０を取り外すことなく電源部材６０のみをコネクタ２０に対して着脱できる。
【００７３】
また、コネクタ２０の端子４０はハウジング２４の内部に収容されていて外部に露出していないので、作業者に対する感電の危惧を払拭できる。
【図面の簡単な説明】
【００７４】
【図１】液晶ディスプレイ（図示せず）の背面に配設される反射板の辺りを液晶ディスプレイ側から見た模型的斜視図である。
【図２】液晶ディスプレイの反射板の辺りを反液晶ディスプレイ側から見た模型的斜視図である。
【図３】図１の部分拡大図である。
【図４】図３のIV−IV線断面図である。
【図５】図４のV−V線断面図である。
【図６】コネクタの各構成部品を示す分解斜視図である。
【図７】図６に示す固定部を反対側から見た斜視図である。
【図８】コネクタ及びそれが取り付けられる取付孔が形成された取付板を示す斜視図である。
【符号の説明】
【００７５】
１１  取付板
１１ａ  取付孔
２０  バックライト用コネクタ
２１ａ  挿入部
２１ｆ  フランジ
２１ｍ  挿抜口
２３  アクチュエータ
２４  ハウジング
２９  載置棚
２９ａ  案内棚
３０  蛍光灯
３０ｒ  リード線
４０  端子
４１  芯線接触部
４５  電源接触部
６０  電源部材
【図１】
2009146862.tif 000003
【図２】
2009146862.tif 000004
【図３】
2009146862.tif 000005
【図４】
2009146862.tif 000006
【図５】
2009146862.tif 000007
【図６】
2009146862.tif 000008
【図７】
2009146862.tif 000009
【図８】
2009146862.tif 000010